(57)【特許請求の範囲】
【請求項１】
第一の通信装置と第二の通信装置から構成される通信システムであって、
前記第一の通信装置は、
省電モード時に、一定周期で前記第二の通信装置へ問い合わせ信号を送信し、
省電モード時に、前記第二の通信装置への動作を起動する、一連のユーザ入力が開始された時、問い合わせ信号を送信する時間に前記第二の通信装置へ省電モード解除信号を送信すると共に、常時問い合わせ信号送信を行う通常モードへ移行し、
前記第二の通信装置への動作を起動する一連のユーザ入力が完了した時、前記第二の通信装置に対して一連の動作に対応する動作コマンド信号を送信し、
前記第二の通信装置は、
省電モード時に、一定周期で受信を行い、
省電モード時に、前記第一の通信装置から省電モード解除信号を受信した時、常時受信を行う通常モードへ移行し、
前記第一の通信装置から動作コマンド信号を受信した時、動作コマンド信号の示す動作を行うことを特徴とする通信システム。
【請求項２】
前記一連のユーザ入力が、複数のボタンの押下操作であり、前記第１の通信装置は、最初のボタンが押下された時の、問い合わせ信号を送信する時間に前記第２の通信装置へ前記省電モード解除信号を送信することを特徴とする請求項１に記載の通信システム。
【請求項３】
前記第１の通信装置がハンズフリー装置であり、前記第２の通信装置が携帯電話であり、前記第２の通信装置への動作を起動する一連のユーザ入力が、前記第１の通信装置から前記第２の通信装置を介した無線基地局への発信動作であることを特徴とする請求項２に記載の通信システム。
【請求項４】
第一の通信装置と第二の通信装置から構成される通信システムであって、
前記第一の通信装置は、
省電モード時に、一定周期で前記第二の通信装置へ問い合わせ信号を送信し、
省電モード時に、前記第二の通信装置から省電モード解除信号を受信した時、常時問い合わせ信号送信を行う通常モードへ移行し、
前記第二の通信装置から動作コマンド信号を受信した時、動作コマンド信号の示す動作を行い、
前記第二の通信装置は、
省電モード時に、一定周期で受信を行い、
前記無線基地局より前記第一の通信装置の動作を起動する一連の着信通知動作が開始された時、前記第一の通信装置からの問い合わせ信号受信にあわせて省電モード解除信号を送信すると共に、常時受信を行う通常モードへ移行し、
前記第一の通信装置の動作を起動する一連の着信通知動作が完了した時、前記第一の通信装置に対して一連の動作に対応する動作コマンド信号を送信することを特徴とする請求項３に記載の通信システム。
【請求項５】
第一の通信装置と第二の通信装置から構成される通信システムにおける通信方法であって、
前記第一の通信装置が、省電モード時に、一定周期で前記第二の通信装置へ問い合わせ信号を送信するステップと、
前記第一の通信装置が、省電モード時に、前記第二の通信装置への動作を起動する、一連のユーザ入力が開始された時、問い合わせ信号を送信する時間に前記第二の通信装置へ省電モード解除信号を送信すると共に、常時問い合わせ信号送信を行う通常モードへ移行するステップと、
前記第一の通信装置が、前記第二の通信装置への動作を起動する一連のユーザ入力が完了した時、前記第二の通信装置に対して一連の動作に対応する動作コマンド信号を送信するステップと、
前記第二の通信装置が、省電モード時に、一定周期で受信を行うステップと、
前記第二の通信装置が、省電モード時に、前記第一の通信装置から省電モード解除信号を受信した時、常時受信を行う通常モードへ移行するステップと、
前記第二の通信装置が、前記第一の通信装置から動作コマンド信号を受信した時、動作コマンド信号の示す動作を行うステップと
を含むことを特徴とする通信方法。
【発明の詳細な説明】
【０００１】
【発明の属する技術分野】
本発明は、省電モードをサポートする通信装置により構成される通信システムに関するものである。
【０００２】
【従来の技術】
複数の通信装置間で通信を行う通信システムで、データの送受信を行わない場合に省電モードに移行する通信システムがある。
【０００３】
従来の省電モードを使用する通信システムとしては、第一の通信装置から第二の通信装置に対して問い合わせ信号を送信し、問い合わせ信号を受信した時に第二の通信装置が第一の通信装置にデータを送信する通信システムであって、省電モードでは第一の通信装置から問い合わせ信号を周期的に送信し、第二の通信装置は第一の通信装置からの問い合わせ信号送信時間に合わせて、周期的に受信を行う通信システムがある。これらの通信システムの例としては、例えば、特開平０５−２０７１７０がある。
【０００４】
以下、従来例について、図を用いて、説明を行う。
図５は、従来例における通信システムの動作シーケンス図である。
図５において、５１は動作シーケンスである。
【０００５】
以下、図に従い、従来例について動作の説明を行う。
動作シーケンス５１においては、通信装置Ａが通信装置Ｂに対して問い合わせ信号を送信し、これを受信した通信装置Ｂが通信装置Ａに対してデータを送信することにより、通信装置Ｂから通信装置Ａへの通信が行われる。通常モードでは通信装置Ａは通信装置Ｂに対して常時問い合わせ信号を送信し、通信装置Ｂは常時、受信を行っている。
【０００６】
省電モードにおいては、通信装置Ａは一定間隔Ｔｃｙｃｌｅおきに問い合わせ信号を通信装置Ｂへ送信し、通信装置Ｂは問い合わせ信号の送信タイミングに合わせてＴｃｙｃｌおきに受信を行う。これにより通信装置Ａは通常モードと比べて送信回数を減らすことにより省電を実現し、通信装置Ｂは通常モードと比べて受信回数を減らすことにより省電を実現することができる。
【０００７】
省電モードから通常モードへの移行は、通信装置Ａからまたは通信装置Ｂから省電モード解除信号を送信することにより行われる。動作シーケンス５１では通信装置Ａから省電モード解除信号を送信している。通信装置Ｂの受信タイミングの関係から、省電モード解除信号は問い合わせ信号を送信するタイミングで送信する必要がある。通信装置Ｂから省電モード解除信号を送信する場合には、通信装置Ｂは通信装置Ａから問い合わせ信号受信後に省電モード解除信号を送信する。
【０００８】
【発明が解決しようとする課題】
しかしながら、上記のような構成では、以下のような問題があった。
省電モードから通常モードへの復帰時の遅延時間の問題である。省電モード状態の通信装置において、データ送信を行う場合には省電モード解除信号を送信した後にデータ送信を行う必要がある。このため、最悪、従来例の動作シーケンス５１では、相手側通信装置へ送信を行う必要が生じてから実際のデータ送信を行うまでに、最悪問い合わせ信号送信間隔Ｔｃｙｃｌｅ待つ必要がある。従って、通信装置Ａにおいて通信装置Ｂの動作を起動する動作が起こり、通信装置Ｂにおいて実際の動作が行われるまでの起動時間が長くなってしまう。
【０００９】
本特許ではかかる点に鑑み、省電モード時を使用する通信装置により構成される通信システムにおいて、第一の通信装置において第二の通信装置での動作を起動する動作が行われ、これに対して第二の通信装置で動作が行われるまでの起動時間を短縮することを目的とする。
【００１０】
【課題を解決するための手段】
本願における通信システムでは、省電モードにある第一の通信装置、第二の通信装置で、第一の通信装置において第二の通信装置の動作を起動する一連の動作が開始された時、第一の通信装置は第二の通信装置に対して省電モード解除信号を送信する。
【００１１】
本願における通信システムにより、第一の通信装置において第二の通信装置の動作を起動する一連の動作が完了し、第一の通信装置から第二の通信装置に対して動作を指示する動作コマンド信号を送信する際には、両通信装置は通常モードとなっていることから、第一の通信装置において第二の通信装置の動作を起動する一連の動作が完了し、第二の通信装置で実際に動作が行われるまでの起動時間を短縮することができる。
【００１２】
【発明の実施の形態】
（実施の形態１）
以下、本願の第１の実施の形態における通信システムについて、図面を参照しながら説明する。
図１は、本願の第１の実施の形態における通信システムの構成図である。図１において、１１は通信装置Ａ（ハンズフリー装置）であり、制御手段１１１、ユーザ入力手段１１２、音声入力手段１１３、音声出力手段１１４、ローカル無線通信手段１１５より構成され、１２は通信装置Ｂ（携帯電話）であり、無線通信手段１２１、ローカル無線通信手段１２２より構成され、１３はネットワークであり、１４は無線基地局である。
【００１３】
以上のように構成された本実施の形態の通信システムにおいて、以下、その動作を説明する。
本実施の形態では、図１に示すように、通信装置Ａとしてハンズフリー装置を、通信装置Ｂとして携帯電話を考える。
【００１４】
通信装置Ａ（ハンズフリー装置）１１と通信装置Ｂ（携帯電話）１２は、ローカル無線通信手段１１５、ローカル無線通信手段１２２により無線により通信を行うものとする。
【００１５】
ユーザは、通信装置Ａ（ハンズフリー装置）１１により、通信装置Ｂ（携帯電話）１２を使用して、ハンズフリー通話を行うことができる。ユーザがユーザ入力手段１１２を用いてダイヤル入力を行った時、通信装置Ａ（ハンズフリー装置）１１から通信装置Ｂ（携帯電話）１２へ発信を指定する動作コマンド信号が送信され、通信装置Ｂ（携帯電話）１２において無線基地局１４へ発信動作が行われる。発信動作後、ユーザは通信装置Ａ（ハンズフリー装置）１１において音声入力手段１１３により音声を入力し、音声出力手段１１４により音声を出力することにより、通信装置Ｂ（携帯電話）１２を介してネットワーク１４における通信端末と通話を行うことができる。
【００１６】
なお、本実施の形態では、課題を解決するための手段で述べた第一の通信装置は通信装置Ａ（ハンズフリー装置）１１に対応し、第二の通信装置は通信装置Ｂ（携帯電話）１２に対応し、第二の通信装置の動作は無線基地局１４への発信動作に対応し、第一の通信装置において第二の通信装置の動作を起動する一連の動作は発信を指定する一連のユーザ入力に対応する。
【００１７】
すなわち、通信装置Ａ（ハンズフリー装置）１１において通信装置Ｂ（携帯電話）１２の発信動作を起動する発信の一連のユーザ入力が行われ、通信装置Ｂ（携帯電話）１２で無線基地局１４への発信動作が行われる。また、一連のユーザ入力は、ユーザ入力開始から始まり、ユーザ入力完了で終了する。例えば、通常のハンズフリー装置におけるダイヤル発信のユーザ入力としては、通常、複数のダイヤルボタンを押下した後に最後にオフフックボタンを押下するユーザインタフェースが一般的であるが、この際には最初のダイヤルボタン押下がユーザ入力開始に、最後のオフフックボタン押下がユーザ入力完了に対応する。
【００１８】
通話や発着信動作が行われず、通信装置Ａ（ハンズフリー装置）１１と通信装置Ｂ（携帯電話）１２の間でデータ送受信を行う必要がない場合には、通信装置Ａ（ハンズフリー装置）１１と通信装置Ｂ（携帯電話）１２は省電モードの状態となる。通信装置Ａ（ハンズフリー装置）１１と通信装置Ｂ（携帯電話）１２が省電モードにある時に、通信装置Ａ（ハンズフリー装置）１１において通信装置Ｂ（携帯電話）１２の動作を起動する一連の動作が行われ、通信装置Ａ（ハンズフリー装置）１１において通信装置Ｂ（携帯電話）１２へ動作コマンド信号が送信された後に、通信装置Ｂ（携帯電話）１２で実際の動作が行われる際の動作シーケンスについて図を用いて説明する。
【００１９】
図２は本願の第１の実施の形態における動作シーケンス図である。
図２において、２１は動作シーケンスである。
動作シーケンス２１において、通信装置Ａ（ハンズフリー装置）１１と通信装置Ｂ（携帯電話）１２は、共に省電モードにある。この時、通信装置Ａ（ハンズフリー装置）１１は、通信装置Ｂ（携帯電話）１２に対して、一定時間間隔Ｔｃｙｃｌｅで問い合わせ信号を送信している。一方、通信装置Ｂ（携帯電話）１２は、通信装置Ａ（ハンズフリー装置）１１からの問い合わせ信号の送信時間にあわせて、一定周期間隔Ｔｃｙｃｌｅで受信状態になる。
【００２０】
ユーザが通信装置Ａ（ハンズフリー装置）１１において発信を行うため一連のユーザ入力を開始した時、通信装置Ａ（ハンズフリー装置）１１は通信装置Ｂ（携帯電話）１２に対して省電モード解除信号を送信する。通信装置Ａ（ハンズフリー装置）１１は、通信装置Ｂ（携帯電話）１２の受信の関係から、省電モード解除信号を省電モードにおける問い合わせ信号を送信するタイミングで送信する必要がある。
【００２１】
通信装置Ａ（ハンズフリー装置）１１は省電モード解除信号を送信後、通常モードに移行し、常時、通信装置Ｂ（携帯電話）１２に対して問い合わせ信号を送信する。一方、通信装置Ｂ（携帯電話）１２は、通信装置Ａ（ハンズフリー装置）１１から省電モード解除信号を受信後に通常モードへ移行し、常時受信状態となる。
【００２２】
通信装置Ａ（ハンズフリー装置）１１が通常モードに移行後、通信装置Ａ（ハンズフリー装置）１１において、数度のユーザ入力が行われた後に一連のユーザ入力が完了する。ユーザ入力完了が行われた時、通信装置Ａ（ハンズフリー装置）１１は、これまでの入力のデータに対応した動作コマンド信号を通信装置Ｂ（携帯電話）１２へ送信し、この信号を受信した通信装置Ｂ（携帯電話）１２は一連のユーザ入力に対応する動作を行う。すなわち、通信装置Ａ（ハンズフリー装置）１１においてダイヤル入力が行われた場合は、通信装置Ｂ（携帯電話）１２の無線通信手段１２１において無線基地局１４への発信動作が行われた後に、ユーザは通信装置Ａ（ハンズフリー装置）１１において通話を行うことができる。
【００２３】
以上のような動作により、通信装置Ａ（ハンズフリー装置）１１において一連のユーザ入力の開始時に、通信装置Ｂ（携帯電話）１２に対して省電モード解除信号を送信することにより、一連のユーザ入力完了時に即座に動作コマンド信号を通信装置Ｂ（携帯電話）１２を送信することができ、一連のユーザ入力完了から通信装置Ｂ（携帯電話）１２の起動時間を短縮することができる。
【００２４】
比較として一連のユーザ入力完了時に省電モード解除信号を送信する場合の動作シーケンスについて図を用いて説明する。
【００２５】
図３は本願を使用しない場合の動作シーケンス図である。
図３において、３１は動作シーケンスである。
動作シーケンス３１では、通信装置Ａ（ハンズフリー装置）１１において一連のユーザ入力開始された時や途中のユーザ入力があった時には、省電モード解除信号の送信は行わず、一連のユーザ入力が完了した時に、通信装置Ａ（ハンズフリー装置）１１から通信装置Ｂ（携帯電話）１２へ省電モード解除信号を送信する。このため、一連のユーザ入力完了から省電モード解除信号を送信するまでに、省電モードにおける次の問い合わせ信号送信時間まで待つ必要が生じ、結果として通信装置Ｂ（携帯電話）１２における動作が動作シーケンス２１に比して遅延時間が生じる。
【００２６】
以上のような動作により、省電モードにある第一の通信装置、第二の通信装置において、第一の通信装置で第二の通信装置の動作を起動する一連の動作（ユーザ入力）が開始された時に、第一の通信装置が第二の通信装置に対して省電モード解除信号を送信することにより、第二の通信装置の動作を起動する一連の動作（ユーザ入力）が完了してから第二の通信装置で動作が行われるまでの起動時間を短縮することができる。
【００２７】
なお、本実施の形態では、通信装置がハンズフリー装置と携帯電話である場合について説明を行ったが、その他のいかなる省電モードを使用する通信装置より構成される通信システムに対しても本発明は有効である。
【００２８】
また、本実施の形態では、通信装置間の通信手段が無線通信である場合について説明を行ったが、通信装置間の通信手段が有線通信である場合にも本発明は有効である。
【００２９】
なお、本実施の形態では、相手側通信装置の動作を起動する一連の動作が一連のユーザ入力である場合について説明を行ったが、その他のいかなる相手側通信装置の動作を起動する一連の動作についても本発明は有効である。
【００３０】
（実施の形態２）
以下、本実施の形態における通信システムについて、図面を参照しながら説明する。
本実施の形態の通信システムの構成は、第１の実施の形態と同様に図１とする。
【００３１】
図１において通信装置Ｂ（携帯電話）１２においてネットワーク１３からの着信が起こり、通信装置Ｂ（携帯電話）１２から通信装置Ａ（ハンズフリー装置）１１へ着信通知を行い、通信装置Ａ（ハンズフリー装置）１１において着信動作が行われる場合の動作について説明する。
【００３２】
この場合には、ネットワーク１３から通信装置Ｂ（携帯電話）１２へ着信通知が開始した際に、通信装置Ｂ（携帯電話）１２から通信装置Ａ（ハンズフリー装置）１１へ省電モード解除信号を送信することにより、通信装置Ｂ（携帯電話）１２、通信装置Ａ（ハンズフリー装置）１１が通常モードに移行する。その後に、ネットワーク１４からの電話番号データなどの着信通知データが通信装置Ｂ（携帯電話）１２へ送信され、最後に着信通知データ送信完了が起こった時に、通信装置Ｂ（携帯電話）１２から通信装置Ａ（ハンズフリー装置）１１に、通信装置Ａ（ハンズフリー装置）１１における着信動作を起動する動作コマンド信号が送信され、通信装置Ａ（ハンズフリー装置）１１において着信動作が行われる。
【００３３】
なお、本実施の形態では、課題を解決するための手段で述べた第一の通信装置は通信装置Ｂ（携帯電話）１２に対応し、第二の通信装置は通信装置Ａ（ハンズフリー装置）１１に対応し、第二の通信装置の動作は通信装置Ａ（ハンズフリー装置）１１での着信動作に対応し、第一の通信装置において第二の通信装置の動作を起動する一連の動作はネットワーク１３からの一連の着信通知動作に対応する。
【００３４】
図４は、本願の第２の実施形態の動作シーケンス図である。
図４において、４１は動作シーケンスである。
以下、動作シーケンス４１に基づき、本実施の形態における動作を説明する。省電モードにおいて、通信装置Ｂ（携帯電話）１２においてネットワーク１３から着信通知開始が起こった時、通信装置Ｂ（携帯電話）１２は通信装置Ａ（ハンズフリー装置）１１からの問い合わせ信号を受信した後に、省電モード解除信号を送信し、通信装置Ａ（ハンズフリー装置）１１、通信装置Ｂ（携帯電話）１２は通常モードへ移行する。通信装置Ａ（ハンズフリー装置）１１から通信装置Ｂ（携帯電話）１２への問い合わせ信号の送信は周期的に行われ、通信装置Ｂは問い合わせ信号の送信タイミングで受信を行い、通信装置Ａ（ハンズフリー装置）１１に対して省電モード解除信号を送信する。
【００３５】
これにより通信装置Ｂ（携帯電話）１２において着信通知データの送信が完了した場合には、ただちに通信装置Ｂ（携帯電話）１２から通信装置Ａ（ハンズフリー装置）１１へ着信動作を起動する動作コマンド信号を送信することができ、着信通知データ送信完了から通信装置Ａ（ハンズフリー装置）１１における着信動作までの起動時間を短縮することができる。
【００３６】
なお、本実施の形態では、通信装置がハンズフリー装置と携帯電話である場合について説明を行ったが、その他のいかなる省電モードを使用する通信装置より構成される通信システムに対しても本発明は有効である。
【００３７】
また、本実施の形態では、通信装置間の通信手段が無線通信である場合について説明を行ったが、通信装置間の通信手段が有線通信である場合にも本発明は有効である。
【００３８】
なお、本実施の形態では、相手側通信装置の動作を起動する一連の動作が一連の着信通知動作である場合について説明を行ったが、その他のいかなる相手側通信装置の動作を起動する一連の動作についても本発明は有効である。
【００３９】
【発明の効果】
以上説明を行ったように、本願における通信システムでは、省電モードにある第一の通信装置、第二の通信装置で、第一の通信装置において第二の通信装置の動作を起動する一連の動作が開始された時、第一の通信装置は第二の通信装置に対して省電モード解除信号を送信する。
【００４０】
本願における通信システムにより、第一の通信装置において第二の通信装置の動作を起動する一連の動作が完了し、第一の通信装置から第二の通信装置に対して動作を指示する動作コマンド信号を送信する際には、両通信装置は通常モードとなっていることから、第一の通信装置において第二の通信装置の動作を起動する一連の動作が完了し、第二の通信装置で実際に動作が行われるまでの起動時間を短縮することができる。
【図面の簡単な説明】
【図１】本願の第１の実施の形態における通信システムの構成図
【図２】本願の第１の実施の形態における動作シーケンス図
【図３】本願を使用しない場合の動作シーケンス図
【図４】本願の第２の実施の形態の動作シーケンス図
【図５】従来例における通信システムの動作シーケンス図
【符号の説明】
１１  通信装置Ａ（ハンズフリー装置）
１１１  制御手段
１１２  ユーザ入力手段
１１３  音声入力手段
１１４  音声出力手段
１１５  ローカル無線通信手段
１２  通信装置Ｂ（携帯電話）
１２１  無線通信手段
１２２  ローカル無線通信手段
１３  ネットワーク
１４  無線基地局
２１、３１、４１、５１  動作シーケンス
【図１】
0003970577.tif 000002
【図２】
0003970577.tif 000003
【図３】
0003970577.tif 000004
【図４】
0003970577.tif 000005
【図５】
0003970577.tif 000006